(57)【要約】  本発明は、一体化されたポケット１２を含む衣服１０に関する。ポケット１２は、関連付けられた第１スライダ１６を有する第１ファスナ１４、第１ファスナ第１端部１８、及び第１ファスナ第２端部２０、並びに、関連付けられた第２スライダ２４を有する第２ファスナ２２、第２ファスナ第１端部２６、及び第２ファスナ第２端部２８を含む。第１ファスナ１４及び第２ファスナ２２は平行に配置されず、第１ファスナ第１端部１８及び第２ファスナ第１端部２６は相互に隣接し、第１ファスナ第２端部２０及び第２ファスナ第２端部２８は相互に隣接しない。ポケット１２は、第１ファスナ１４及び第２ファスナ２２によって開閉し得る。完全に閉じられた状態のポケット１２において、第１スライダ１６は、第１ファスナ第１端部１８に配置され、第２スライダ２４は、第２ファスナ第１端部２６に配置される。第１スライダ１６及び第２スライダ２４は、完全に閉じられた状態のポケット１２において、相互に隣接する。ポケット１２は、第１ファスナ１４及び第２ファスナ２２を合わせた全体の長さにわたる、１つの開口領域を有する。【選択図】図１
2017535691.tif 000002
【特許請求の範囲】
【請求項１】
一体化されたポケット（１２）を含む衣服（１０）であって、
前記ポケット（１２）は、
第１スライダ（１６）と、第１ファスナ第１端部（１８）と、第１ファスナ第２端部（２０）とを含む第１ファスナ（１４）と、
第２スライダ（２４）と、第２ファスナ第１端部（２６）と、第２ファスナ第２端部（２８）とを含む第２ファスナ（１４）とを含み、
前記第１ファスナ（１４）及び前記第２ファスナ（２２）は平行に配置されず、前記第１ファスナ第１端部（１８）、及び前記第２ファスナ第１端部（２６）は相互に隣接し、前記第１ファスナ第２端部（２０）、及び前記第２ファスナ第２端部（２８）は相互に隣接せず、
前記ポケット（１２）は、前記第１ファスナ（１４）及び前記第２ファスナ（２２）によって開閉可能であり、前記ポケット（１２）が完全に閉じられた状態のとき、前記第１スライダ（１６）は、前記第１ファスナ第１端部（１８）に配置され、前記第２スライダ（２４）は、前記第２ファスナ第１端部（２６）に配置され、前記第１スライダ（１６）及び前記第２スライダ（２４）は相互に隣接し、
前記ポケット（１２）は、前記第１ファスナ（１４）及び前記第２ファスナ（２２）を合わせた全体の長さにわたる単一の開口領域を有することを特徴とする衣服。
【請求項２】
請求項１に記載の衣服（１０）であって、
前記第１スライダ（１６）が、前記ポケット（１２）に関連付けられた前記第１ファスナ第１端部（１８）に配置されていない状態にあり、及び／または前記第２スライダ（２４）が、前記ポケット（１２）に関連付けられた前記第２ファスナ第１端部（２６）に配置されていない状態にあることにより、
前記ポケット（１２）が、部分的に開かれた状態とされることを特徴とする衣服。
【請求項３】
請求項１または２に記載の衣服（１０）であって、
前記第１スライダ（１６）が、前記第１ファスナ第２端部（２０）に配置されておらず、及び、前記第２スライダ（２４）が、前記第２ファスナ第２端部（２８）に配置されていないことにより、
前記ポケット（１２）が完全に閉じられた状態とされることを特徴とする衣服。
【請求項４】
請求項１〜３のいずれか１項に記載の衣服（１０）であって、
前記衣服（１０）を立っている人が着用した状態において、前記第１ファスナ（１４）が実質的に垂直に延在することを特徴とする衣服。
【請求項５】
請求項１〜４のいずれか１項に記載の衣服（１０）であって、
前記衣服（１０）を立っている人が着用した状態において、前記第２ファスナ（２２）が前記第１ファスナ（１４）に対して実質的に垂直に延在することを特徴とする衣服。
【請求項６】
請求項４に記載の衣服（１０）であって、
前記第２ファスナ（２２）が直線的に延在し、前記第１ファスナ（１４）に対し、９０度より大きい角度をなすことを特徴とする衣服。
【請求項７】
請求項１〜６のいずれか１項に記載の衣服（１０）であって、
前記第１ファスナ（１４）及び前記第２ファスナ（２２）の少なくとも１つに、カバー（３０）が設けられていることを特徴とする衣服。
【請求項８】
請求項１〜７のいずれか１項に記載の衣服（１０）であって、
前記第２ファスナ（２２）にカバー（３０）が設けられていることを特徴とする衣服。
【請求項９】
請求項８に記載の衣服（１０）であって、
前記第２ファスナ（２２）を覆う前記カバー（３０）が、前記第１ファスナ（１４）と前記第２ファスナ（２２）との間の中間スペース（３２）も覆い、
前記第２ファスナ（２２）を覆う前記カバー（３０）が、前記第１ファスナ（１４）も部分的に覆うことを特徴とする衣服。
【請求項１０】
請求項７〜９のいずれか１項に記載の衣服（１０）であって、
前記カバー（３０）が、弾性を有することを特徴とする衣服。
【請求項１１】
請求項７〜１０のいずれか１項に記載の衣服（１０）であって、
前記第１スライダ（１６）が第１スライダハンドル（３４）を含み、及び前記第２
スライダ（２４）が第２スライダハンドル（３６）を含み、
前記第１スライダハンドル（３４）、及び前記第２スライダハンドル（３６）、または第１スライダハンドル延長部（３８）及び第２スライダハンドル延長部（４０）が、前記ポケット（１２）が完全に閉じられた状態のとき、前記カバー（３０）によって完全には覆われていないアクセス可能部位を有することを特徴とする衣服。
【請求項１２】
請求項１１に記載の衣服１０であって、
前記衣服（１０）を立っている人が着用しているとき、前記第１スライダハンドル（３４）及び前記第２スライダハンドル（３６）の前記アクセス可能部位、または前記第１スライダハンドル延長部（３８）、及び前記第２スライダハンドル延長部（４０）の前記アクセス可能部位が把持され、前記第１スライダハンドル（３４）及び前記第２スライダハンドル（３６）、または前記第１スライダハンドル延長部（３８）、及び前記第２スライダハンドル延長部（４０）が、垂直に下方へ向くことを特徴とする衣服。
【請求項１３】
請求項１〜１２のいずれか１項に記載の衣服（１０）であって、
前記ポケット（１２）はポケット外側部（４２）を有し、
前記ポケット外側部（４２）が、前記衣服（１０）の衣服外側部（４４）の少なくとも一部と一体的に形成されていることを特徴とする衣服。
【請求項１４】
請求項１３に記載の衣服（１０）であって、
前記ポケット外側部（４２）が、前記ポケット（１２）が完全に開かれた状態のとき、前記第１ファスナ第２端部（２０）と、前記第２ファスナ第２端部（２８）との間を結ぶ軸線（４６）に沿って、前記衣服（１０）から実質的に折り返され得ることを特徴とする衣服。
【発明の詳細な説明】
【技術分野】
【０００１】
本発明は、一体化されたポケットを含む衣類に関する。
【背景技術】
【０００２】
衣服にポケットを設けることは一般的である。特に、ジャケット及びズボンには大抵ポケットが設けられており、広範囲の実施形態が知られている。例えば、ポケットは衣服に縫い付けられていてもよく、また衣服と一体化されていてもよい。アクセス可能なポケットの開口部は、露出されていてもよく、フラップによって覆われていてもよく、ボタンまたはファスナ（線ファスナ、ジッパ）によって開閉可能であってもよい。
【発明の概要】
【発明が解決しようとする課題】
【０００３】
ここで、ファスナによって開閉可能なポケットが関心の対象である。このような実施形態は、ファスナが閉じられているときに、ポケットの中に収容された物の紛失が安全に防止されるという点、及びファスナを容易に開閉できるという点で有利である。したがって、衣類の開閉可能なポケットの、特に都合の良い実施形態が取り上げられる。しかし、ポケットへのアクセス可能領域は、ファスナの長さによって制限される。特に、ファスナのスライダは、ファスナがなければ、ポケットが開かれた状態で、自由にアクセス可能なポケットのアクセス可能領域内に、その性質上、通常配置されるため、ファスナの存在は事実上、ポケットの開口サイズを小さくする。衣服のポケットに物が入れられると、ときには２、３ｍｍだけ失われるため、これは望ましくない。特に、作業用及びアウトドア用の衣服では、このように快適性が失われることは非常に望ましくない。物が抜き出されるとき、または滑り込ませられるとき、引っかかったり詰まったりすることは防止されるべきである。
【課題を解決するための手段】
【０００４】
本発明は、扱うときに特に都合がよく、ポケットそれ自体が設計上単純であり、製造時に複雑でない、特に大きいアクセス可能領域を提供する一体化されたポケットを含む衣服を提供することを目的としている。更に、本発明による衣服について、標準化されたファスナを使用できることが望ましい。
【０００５】
本発明は、一体化されたポケットを含む衣服に関し、
前記ポケットは、
第１ファスナ（１４）であって、前記第１ファスナ（１４）に関連付けられた第１スライダ（１６）と、第１ファスナ第１端部（１８）と、第１ファスナ第２端部（２０）とを含む、該第１ファスナ（１４）と、
第２ファスナ（２２）であって、前記第２ファスナ（２２）に関連付けられた第２スライダ（２４）と、第２ファスナ第１端部（２６）と、第２ファスナ第２端部（２８）とを含む、該第２ファスナ（２２）とを含み、
前記第１ファスナ（１４）及び前記第２ファスナ（２２）は、前記第１ファスナ第１端部（１８）、及び前記第２ファスナ第１端部（２６）が相互に隣接し、前記第１ファスナ第２端部（２０）、及び前記第２ファスナ第２端部（２８）が相互に隣接しないよう、平行に配置されず、
前記ポケット（１２）は、前記第１ファスナ（１４）及び前記第２ファスナ（２２）によって開閉可能であり、前記ポケット（１２）が完全に閉じられた状態のとき、前記第１スライダ（１６）は、前記第１ファスナ第１端部（１８）に配置され、前記第２スライダ（２４）は、前記第２ファスナ第１端部（２６）に配置され、前記第１スライダ（１６）及び前記第２スライダ（２４）は相互に隣接し、前記ポケット（１２）は、前記第１ファスナ（１４）及び前記第２ファスナ（２２）の全体の長さにわたって１つの開口領域を有することを特徴とする。
【０００６】
２つのファスナが存在するため、ポケットを開く方法の複数の変形が存在する。まず、第１ファスナのみを開くことができる。第２ファスナのみを開くことも可能である。最後に、両方のファスナを開くことができる。最初の２つの変形、すなわち１つのファスナの開口では、ポケットへのアクセスの選択肢は、従来のポケットとほとんど異ならない。しかし、ユーザはポケットにアクセスする方法を決めることができる。例えば、ファスナの一方が他方より長い場合、小さい物の場合には短いファスナを開く傾向があり、短いファスナを通らない大きい物の場合には、長いファスナはいずれにしても開かれる。第３の変形、すなわち両方のファスナの開口では、ファスナが開かれるとき、ファスナのスライダが異なる方向に動かされ、ポケットが当接した両ファスナの長さ全体に沿った開口領域を有するため、特に大きいポケットの開口が利用できるようになる。
【０００７】
この意味で、部分的に開かれた状態のポケットにおいて、第１スライダ及び／または第２スライダは、関連付けられたファスナの第１端部に配置されないことが想定される。
【０００８】
更に、完全に開かれた状態のポケットにおいて、第１スライダは第１ファスナの第２端部に配置され、第２スライダは第２ファスナの第２端部に配置されることは有用である。
【０００９】
立っている人が衣服を着用しているとき、第１ファスナが実質的に垂直に延在するという点で、衣服は更に都合よく構築されている。したがって、第１ファスナを使用すると、ポケットが開かれ、横からのアクセスが可能になる。
【００１０】
更に、立っている人が衣服を着用しているとき、第２ファスナが第１ファスナに対して実質的に垂直に延在することが想定され得る。したがって、第２ファスナを使用すると、ポケットは、ほとんどの従来の衣服と同じように開かれる。このポケットは上からアクセスされる。第２ファスナが開かれた状態でさえ、物の紛失の可能性は低い。
【００１１】
特に、第２ファスナが直線的に延在し、第１ファスナに対して９０度より大きい角度をなすことが想定され得る。したがって、ファスナは相互に対して厳密に９０度の角度で延在する必要はない。むしろ、鈍角がファスナ間を囲むことができ、これによりポケットの内側部は、ファスナ同士が相互に対して直角に配置された場合より大きくなり得る。
【００１２】
本発明は、少なくとも１つのファスナにカバーを設けることによって、更に有用に構築される。
【００１３】
具体的には、第２ファスナにカバーを設けることが想定され得る。第２ファスナが第１ファスナに対して垂直、または略垂直に延在する場合、カバーは水分が上からファスナに入ることを防止する。第１ファスナに関しては、上から衣服に流れ落ちる、実質的により少ない水分が、垂直に延在するファスナと接触するため、第１ファスナが垂直に配置された場合、より多くの液体が入る可能性はほとんどない。
【００１４】
これに関連して、第２ファスナのカバーが、第１ファスナと第２ファスナとの間の中間スペースも覆い、第１ファスナも部分的に覆うことが特に有利である。ファスナが閉じられたときにスライダが当接または隣接する領域では、完全には閉じられていないポケットの近くにある従来のファスナの場合には、当然、小さな隙間が残る。この隙間は、異物がポケットへ入ることが懸念されるとき、特に重要である。したがって、カバーがこの隙間も覆うことは有用である。
【００１５】
更に、カバーが弾性を有することは有利である。このようにして、カバーはファスナから都合よく折り返され、カバーによって覆われたファスナの開閉が妨げられることはない。
【００１６】
本発明の別の好ましい実施形態によれば、両方のスライダには各々スライダハンドルが備えられ、両方のスライダハンドルまたはスライダハンドルの延長部は、カバーによって完全には覆われていない、完全に閉じられた状態のポケットにアクセス可能な部位を有し得ることが想定される。したがって、カバーで覆われたファスナを開くためであっても、最初に手をカバーの真下に移動させる必要はないが、スライダハンドルまたはスライダハンドルの延長部には、カバーを意識することなく容易にアクセスでき、ポケットを開くことができる。ファスナの扱いを自然に妨げるグローブを着用する場合、これは特に重要である。
【００１７】
これに関連して、立っている人が衣服を着用し、スライダハンドルまたはスライダハンドルの延長部が垂直に下方へ向くとき、スライダハンドルのアクセス可能部位またはスライダハンドルの延長部が把持されることは、特に有用である。
【００１８】
本発明の有利な実施形態では、ポケット外側部は、衣服外側部の少なくとも一部と一体的に形成されることが想定される。このようにして、ポケットの２つのファスナと、あるいはカバーが見えるのみである。同様に、ポケットが衣服に縫い付けられることによる縫い目は必要ない。これにより、ポケットはきつく頑丈である。
【００１９】
特に好ましい実施形態によれば、ポケット外側部は、ポケットが完全に開かれた状態のとき、第１ファスナ第２端部と、第２ファスナ第２端部との間を結ぶ軸線に沿って、衣服から実質的に折り返されることができる。ポケット外側部は、可撓性を有し折り返される。このようにして、ポケットの内部容積と比べて、特に大きく、嵩のある物をポケットに詰めることができる。
【００２０】
本発明は、２つのファスナを有した前記ポケットを提供することにより、実用的な、及び複数の変形例で使用可能なポケットを衣服に設けることができるという知見に基づく。ファスナは、完全に開かれた状態のポケットにおいて、ファスナの２つのスライダが相互に隣接するよう配置される。ポケットが完全に開かれると、スライダはポケットが閉じられた位置から滑って離れ、特に大きいポケット開口部が得られる。
【００２１】
本発明は、添付の図面を参照し、特に好ましい実施形態の実施例を用いて開示される。
【図面の簡単な説明】
【００２２】
【図１】図１は、２つの一体化されたポケットを有する、本発明による衣服を示す図である。
【図２】図２は、部分的に開かれた状態での、本発明による衣服のためのファスナの配置を示す図である。
【図３】図３は、完全に開かれた状態での、本発明による衣服のためのファスナの配置を示す図である。
【００２３】
以下の図面の説明において、同じ符号は同一の、または類似の構成要素を示す。
【００２４】
図１は、２つの一体化されたポケットを含む、本発明による衣服１０を示す。衣服１０、ここではジャケットは、胸部領域に２つのポケットを含む。ポケットは、相互に鏡面対称であるので、２つのポケットのうち１つを開示すれば十分である。ポケット１２は、衣服外側部４４と一体的に形成された、ポケット外側部４２を有する。ポケット１２には第１ファスナ１４、及び第２ファスナ２２の２つが備えられ、図１の例では第１ファスナ１４のみが識別可能であるが、第２ファスナ２２はカバー３０で覆われている。第１ファスナ１４及び第２ファスナ２２の両方はスライダを有しており、ここではいずれのスライダも見えない。むしろ、両方のスライダはカバー３０によって覆われている。識別可能であるのは、直接的、または間接的にスライダに接続された要素だけである。例えば、第１スライダハンドル３４は、カバー３０によって部分的にのみ覆われている。第１スライダハンドル延長部３８がこの第１スライダハンドル３４に関連付けられている。第２ファスナ２２に関しては、第２スライダハンドル延長部４０のみが見える。第２スライダ２４、及び第２スライダハンドル３６は、カバー３０によって覆われている。第１ファスナ１４、及び第２ファスナ２２の両方は、図１に示された状態で閉じられている。したがって、ポケット１２は完全に閉じられている。この状態は、両方のスライダが相互に隣接して配置されているときに得られる。これが事実であることは、第１ファスナ１４、及び第２ファスナ２２のスライダハンドルにそれぞれ関連付けられた第１スライダハンドル延長部３８、第２スライダハンドル延長部４０の隣接した配置から見ることができる。
【００２５】
図２は、部分的に開かれた状態の、本発明による衣服１０のためのファスナの配置を示している。この図では、第１ファスナ１４、及び第２ファスナ２２の両方が見える。第２ファスナ２２は、図１と同じ状態、すなわち閉じられた状態にあるが、第１ファスナ１４は、図１による状態とは対照的に開いている。第１ファスナ１４が開かれた状態では、第１ファスナ１４の第１スライダ１６は、第１ファスナ第２端部２０に配置されている。第１ファスナ第１端部１８は、第２ファスナ第１端部２６に隣接して配置されているが、これは第１ファスナ第２端部２０には適用されない。したがって、２つの第１ファスナ１４、及び第２ファスナ２２の第１スライダ１６、及び第２スライダ２４は、相互に隣接して配置されていない。カバー３０がわずかに持ち上げられているので、第２ファスナ２２は露出している。また、この状態では、第１ファスナ１４と第２ファスナ２２との間の、第２ファスナ２２に隣接した中間スペース３２も露出される。第１ファスナ１４の第１スライダ１６、及び第２ファスナ２２の第２スライダ２４とは別に、第１スライダハンドル３４、及び第２スライダハンドル３６、及びそれに関連付けられた第１スライダハンドル延長部３８、及び第２スライダハンドル延長部４０も見える。全体として、第１ファスナ１４が開かれ、第２ファスナ２２が閉じられた、部分的に開かれた状態のポケット１２が与えられる。当然のことながら、第１ファスナ１４、及び第２ファスナ２２がランダムな中間状態に配置されている、半無限の部分的に開かれた状態が実現されてもよい。第１ファスナ１４、及び第２ファスナ２２は、従来のように、縫い目４８によって衣服に縫い付けられている。
【００２６】
図３は、完全に開かれた状態の、本発明による衣服１０のファスナの配置を示す。ここで、ポケット１２は、完全に開かれた状態で見ることができる。第１スライダ１６は、第１ファスナ第２端部２０に、第２スライダ２４は、第２ファスナ第２端部２８に、それぞれ、隣接せず配置される。ポケット１２の上側は、第１ファスナ第２端部２０と、第２ファスナ第２端部２８との間の接続線、または間を結ぶ軸線４６に沿って折り返されるため、第１ファスナ１４、及び第２ファスナ２２のそれ自体に関連する構成要素は、ほとんどの領域で、もはや相互に隣接しない。相互に離れて配置された構成要素は、図中の小文字のａまたはｂによって、更に示されることで識別される。このように、第１ファスナ１４は構成要素１４ａ、１４ｂで構成され、第２ファスナ２２は構成要素２２ａ、２２ｂで構成され、第１ファスナ１４、第２ファスナ２２の各第１端部は構成要素１８ａ、１８ｂ、または２６ａ、２６ｂで構成され、第１ファスナ１４と、第２ファスナ２２との間の中間スペースは符号３２ａ、３２ｂで示されている。したがって、図３による上記の例では、ポケット１２の外側部ではなく、軸線４６の右側の領域におけるポケット１２の内側部５０が示されている。
【００２７】
図１〜３に関連して、このようにして詳細に開示されたポケットは、扱いが容易である。特に、第１ファスナ１４、及び第２ファスナ２２の各スライダに直接的または間接的に接続された第１スライダハンドル延長部３８、及び第２スライダハンドル延長部４０には、第２ファスナ２２、及び第１ファスナ１４と第２ファスナ２２との間の中間スペース３２を完全に覆い、第１ファスナ１４を部分的に覆うカバー３０を特に折り返すことなく、都合よく手が届く。肩部領域からジャケットを流れ落ちる水は、カバー３０によって第２ファスナ２２から遠ざけられる。更に、ファスナのカバー３０は、インプリント、すなわち、特に会社名、ブランド、固有名詞、電話番号などの個々の性質のインプリントのために実際に使われてもよい。
【００２８】
上記の説明、図面及び特許請求の範囲で開示された本発明の特徴は、本発明を個別、及び任意の組合せの両方で実現するために不可欠であり得る。
【符号の説明】
【００２９】
１０  衣服
１２  ポケット
１４  第１ファスナ
１６  第１スライダ
１８  第１ファスナ第１端部
２０  第１ファスナ第２端部
２２  第２ファスナ
２４  第２スライダ
２６  第２ファスナ第１端部
２８  第２ファスナ第２端部
３０  カバー
３２  中間スペース
３４  第１スライダハンドル
３６  第２スライダハンドル
３８  第１スライダハンドル延長部
４０  第２スライダハンドル延長部
４２  ポケット外側部
４４  衣服外側部
４６  軸線
４８  縫い目
５０  内側部
【図１】
2017535691.tif 000003
【図２】
2017535691.tif 000004
【図３】
2017535691.tif 000005
【国際調査報告】
2017535691.tif 000006
2017535691.tif 000007
2017535691.tif 000008
2017535691.tif 000009